(57)【特許請求の範囲】
【請求項１】
各階の排水横枝管が接続される横枝管接続部を有し、床スラブに支持された合流排水継手と、排水管とを上下方向に接続して形成された排水立て管と、
排水横主管と、
前記排水立て管と排水横主管とを接続する脚部継手と、
前記排水立て管に沿って設けられ、排水立て管の前記脚部継手直上に接続された通気管とを備える多層建築物の排水配管を改修する排水配管の改修工法であって、
前記排水立て管を、排水立て管の最下端の既設合流排水継手の直上で切断するとともに、前記通気管を最下端の既設合流排水継手が支持された床スラブより下方で切断し、排水立て管の最下端の既設合流配管継手を更新用合流排水継手に交換し、交換された更新用合流排水継手と脚部継手とを斜め上方に向かって分岐する分岐部を有する通気管接続用継手を介して脚部継手に接続し排水立て管と脚部継手とが連通された状態に戻し、排水立て管の最下端を更新する一方、前記通気管接続用継手の分岐部と前記通気管の残存下端を、通気管接続用継手で接続する最下端更新工程をまず実施することを特徴とする多層建築物の排水配管の改修工法。
【請求項２】
通気管接続用継手が本体部と、この本体部から分岐する分岐部とを備え、
本体部が上端に更新用合流排水継手の下端差口の差込長さを調整可能なやりとり受口を有し、
最下端の既設合流排水継手の除去によって生じた床スラブの孔を介して更新用合流排水継手をその下端差口が前記脚部継手の直上階の床スラブから下方に臨むように配置するとともに、下端差口を前記やりとり受口に深く差し込んだ状態で、
脚部継手の上端の芯と、通気管接続用継手の継手本体部の芯とが合うように、更新用合流排水継手を床スラブに支持させたのち、通気管接続用継手を下方に押し下げて脚部継手に通気管接続用継手の継手本体部の下端を接続する請求項１に記載の多層建築物の排水配管の改修工法。
【請求項３】
既設合流排水継手を、内部に流下する排水を旋回流にする旋回羽根を備え、既設合流排水継手より排水能力の高い特殊排水継手に更新する請求項１または請求項２に記載の多層建築物の排水配管の改修工法。
【請求項４】
最下端更新工程をまず実施したのち、下層階から上層階に向かって既設合流排水継手を特殊排水継手に更新施工するとともに、更新が終わった特殊排水継手と、その直上の既設合流排水継手との間の排水立て管部分に、開口端に向かって斜め上方に傾斜する分岐部を有する分岐継手を介在させるとともに、通気管を分岐させ、通気管の分岐部と前記分岐継手の分岐部とを通気管接続用継手を介して接続する工程を含む請求項３に記載の多層建築物の排水配管の改修工法。
【請求項５】
通気管接続用継手がフレキシブル管である請求項１〜請求項４のいずれかに記載の多層建築物の排水配管の改修工法。
【請求項６】
通気管接続用継手が、分岐位置が上下方向にずれた２つ以上の分岐部を有し、最下端更新工程において、通気管接続用継手の最も上方の分岐部を通気管に接続する一方、他の分岐部を平行して設けられた他の排水立て管に接続する請求項１〜請求項５のいずれかに記載の多層建築物の排水配管の改修工法。
【発明の詳細な説明】
【技術分野】
【０００１】
本発明は、既設の通気立て管方式（二管式）の多層建築物の排水配管の改修工法に関する。
【背景技術】
【０００２】
従来、集合住宅等の多層建築物の排水配管として、通気立て管方式（二管式）の排水配管がある（例えば、特許文献１参照）。
例えば、図１５に示すように、通気立て管方式の排水配管Ａは、各階の排水横枝管４が合流し、床スラブＳに支持された合流排水継手２と、排水管３とを上下方向に接続して形成された排水立て管１と、排水横主管５と、排水立て管１と排水横主管５とを接続する脚部継手６と、排水立て管１に沿って設けられ、排水立て管１の脚部継手６の直上部に接続された通気管７とを備えている。
すなわち、この排水配管Ａは、集合住宅では多数の住民が一度に排水した場合のトラブル（トラップからの吹き出し、吸い込み等）を回避するため、排水横主管５の上方半分は通気層となるように通気管７を設けるようにしている。
【先行技術文献】
【特許文献】
【０００３】
【特許文献１】特開平7-18710号公報
【特許文献２】特開2006-70542号公報
【特許文献２】特開2009-25282号公報
【発明の概要】
【発明が解決しようとする課題】
【０００４】
一方、排水配管は、長期間使用していると、サビの発生や汚物の残渣の付着等によって配管内径が細くなって、排水能力の低下を招いたり、詰りが発生したり、配管の一部に穴開きが生じて漏水が発生することがある。
そこで、かかる問題が生じた場合、排水配管を改修する必要があるが、多層建築物、特に集合住宅の場合、住民が生活しており、住民が出かけることが多く、あまり住民に不便を感じさせない昼間の数時間しか改修工事を行うことができないが、かかる場合、多くの人員をかけて同時に多数階の改修作業を進めていく必要がある。
【０００５】
他方、図１５に示すように、既設の合流排水継手２は、床スラブＳの貫通孔にその下端部を通したのち、モルタルＭによって貫通孔との隙間が埋められているため、一般的には、合流排水継手２の周囲のモルタルＭを、ハツリ機などを用いてハツラなければ、合流排水継手２を取り除くことができない。
したがって、上記のように多数階の改修作業を同時に進めていく場合、ハツリ機などの改修に用いる機器を多数用意する必要があり、コストがかかる。
【０００６】
本発明は、上記事情に鑑みて、老朽化した既設の排水配管の改修施工が複数日にわたっても、住民に極力迷惑をかけることなく、効率よく改修することができる多層建築物の排水配管の改修工法を提供することを目的としている。
【課題を解決するための手段】
【０００７】
上記目的を達成するために、本発明にかかる多層建築物の排水配管の改修工法（以下、「本発明の改修工法」と記す）は、各階の排水横枝管が接続される横枝管接続部を有し、床スラブに支持された合流排水継手と、排水管とを上下方向に接続して形成された排水立て管と、排水横主管と、前記排水立て管と排水横主管とを接続する脚部継手と、前記排水立て管に沿って設けられ、排水立て管の前記脚部継手直上に接続された通気管とを備える多層建築物の排水配管を改修する排水配管の改修工法であって、前記排水立て管を、排水立て管の最下端の既設合流排水継手の直上で切断するとともに、前記通気管を最下端の既設合流排水継手が支持された床スラブより下方で切断し、排水立て管の最下端の既設合流配管継手を更新用合流排水継手に交換し、交換された更新用合流排水継手と脚部継手とを斜め上方に向かって分岐する分岐部を有する通気管接続用継手を介して脚部継手に接続し排水立て管と脚部継手とが連通された状態に戻し、排水立て管の最下端を更新する一方、前記通気管接続用継手の分岐部と前記通気管の残存下端を、通気管接続用継手で接続する最下端更新工程をまず実施することを特徴としている。
【０００８】
本発明の改修工法は、特に限定されないが、通気管接続用継手が継手本体部と、この継手本体部から分岐する分岐部とを備え、本体部が上端に更新用合流排水継手の下端差口の差込長さを調整可能なやりとり受口を有し、最下端の既設合流排水継手の除去によって生じた床スラブの孔を介して更新用合流排水継手をその下端差口が前記脚部継手の直上階の床スラブから下方に臨むように配置するとともに、下端差口を前記やりとり受口に深く差し込んだ状態で、脚部継手の上端の芯と、通気管接続用継手の継手本体部の芯とが合うように、更新用合流排水継手を床スラブに支持させたのち、通気管接続用継手を下方に押し下げて脚部継手に通気管接続用継手の継手本体部の下端を接続するようにしても構わない。
すなわち、上記の構成とすることによって、更新用合流排水継手の上側の排水立て管の下端や下方の脚部継手の上端を邪魔にならず、更新用合流排水継手の施工を容易に行うことができる。
【０００９】
また、本発明の改修工法は、特に限定されないが、既設合流排水継手を、内部に流下する排水を旋回流にする旋回羽根を備え、既設合流排水継手より排水能力の高い特殊排水継手に更新するようにしても構わない。
すなわち、上記の構成とすることによって、排水立て管の排水能力が向上し、１つの特殊排水継手に多数の横枝管を接続することができるようになる。
したがって、更新する排水立て管に平行して設けられた排水立て管に接続されていた横枝管も更新した特殊排水継手に接続するようにすれば、他の排水立て管が不要になる。
そして、他の排水立て管の改修が不要になり改修コストが低減できる。
また、各住戸においても衛生機器などの増設も可能になり、リフォームのバリエーションを増やすことができる。
なお、上記特殊排水継手としては、特に限定されないが、例えば、積水化学工業社製の商品名エスロンＡＤスリムなどの市販品を用いることができる。
【００１０】
さらに、本発明の改修工法は、上記のように特殊排水継手を用いる場合においては、最下端更新工程をまず実施したのち、下層階から上層階に向かって既設合流排水継手を特殊排水継手に更新施工するとともに、更新が終わった特殊排水継手と、その直上の既設合流排水継手との間の排水立て管部分に、開口端に向かって斜め上方に傾斜する分岐部を有する分岐継手を介在させるとともに、通気管を分岐させ、通気管の分岐部と前記分岐継手の分岐部とを通気管接続用継手を介して接続することが好ましい。
すなわち、特殊排水継手の施工が完了した部分においては、排水立て管の排水能力は上がるが、更新が終わっていない部分については、排水能力が元の状態のままである。
したがって、多量に排水が排水立て管に流れ込むと、更新が終わった特殊排水継手の直上階の既設合流排水継手の横枝管に接続された排水機器のトラップからの吹き出し、吸い込み等トラブルを起こすおそれがあるが、上記のようにしておけば、特殊排水継手の直上階の既設合流排水継手との間で排水立て管が、通気管に接続された状態になり、上記トラブルが起こらない。
【００１１】
本発明において、通気管接続用継手としては、特に限定されないが、蛇腹管やゴム管などのフレキシブル管を用いることが好ましい。
すなわち、通気用分岐継手の分岐部と通気管との接続を容易に行うことができる。
【００１２】
さらに、本発明の改修方法は、通気管接続用継手として、分岐位置が上下方向にずれた２つ以上の分岐部を有するものを用い、最下端更新工程において、この通気管接続用継手の最も上方の分岐部を通気管に接続する一方、他の分岐部を平行して設けられた他の排水立て管に接続するようにしてもよい。
すなわち、１つの通気管と複数の排水立て管とが接続されている場合があるが、上記のようにすれば、１つの排水立て管を改修するときに、他の排水立て管は使用可能となる。
しかも、通気管接続用継手の最も上方の分岐部を通気管に接続するので、他の排水立て管の排水が通気管側に流れ込むことがない。すなわち、他の排水立て管を流下してきた排水が、通気管を閉塞することがない。
【発明の効果】
【００１３】
本発明の改修工法は、各階の排水横枝管が接続される横枝管接続部を有し、床スラブに支持された合流排水継手と、排水管とを上下方向に接続して形成された排水立て管と、排水横主管と、前記排水立て管と排水横主管とを接続する脚部継手と、前記排水立て管に沿って設けられ、排水立て管の前記脚部継手直上に接続された通気管とを備える多層建築物の排水配管を改修する排水配管の改修工法であって、前記排水立て管を、排水立て管の最下端の既設合流排水継手の直上で切断するとともに、前記通気管を最下端の既設合流排水継手が支持された床スラブより下方で切断し、排水立て管の最下端の既設合流配管継手を更新用合流排水継手に交換し、交換された更新用合流排水継手と脚部継手とを斜め上方に向かって分岐する分岐部を有する通気管接続用継手を介して脚部継手に接続し排水立て管と脚部継手とが連通された状態に戻し、排水立て管の最下端を更新する一方、前記通気管接続用継手の分岐部と前記通気管の残存下端を、通気管接続用継手で接続する最下端更新工程をまず実施するようにしたので、通気管の機能を確保した状態で上階の合流排水継手を更新することができる。すなわち、更新用合流排水継手の排水立て管への組み込み及び横枝管の接続施工を完了していれば、通常とおり、排水が可能である。
【００１４】
したがって、施工時間が限られ、すべての既設排水分岐継手を更新するには、複数日に跨るような場合において、住民は、施工時間以外は、住戸内の機器から排水を流すことができる。
そして、同時に多層階で工事を行う必要がないので、一度に多数のハツリ機を用意する必要がなくなり、施工コストの低コスト化を図ることができる。
【図面の簡単な説明】
【００１５】
【図１】本発明にかかる排水配管の改修工法の第１の実施の形態の第１工程を説明する既設排水配管の概略図である。
【図２】図１の後工程を説明する図である。
【図３】図２の後工程を説明する図である。
【図４】図３の後工程を説明する図である。
【図５】図４の後工程を説明する図である。
【図６】図５の後工程を説明する図である。
【図７】図６の後工程を説明する図である。
【図８】図７の後工程を説明する図である。
【図９】図８の後工程を説明する図である。
【図１０】第１の実施の形態の改修工法に用いる通気管接続用継手の１例をあらわす正面図である。
【図１１】図１０の通気管接続用継手の断面と、その分岐部に装着されるキャップをあらわす図である。
【図１２】第１の実施の形態の改修工法に用いるやりとり継手の１例をあらわす断面図である。
【図１３】本発明にかかる排水配管の改修工法の第２の実施の形態に用いられる通気管接続用継手の１例の正面図である。
【図１４】図１３の通気管接続用継手が改修に用いられる既設排水配管の１例を模式的にあらわす図である。
【図１５】従来の通気管式排水配管の１例をあらわす図である。
【発明を実施するための形態】
【００１６】
以下に、本発明を、その実施の形態をあらわす図面を参照しつつ詳しく説明する。
図１〜図９は、本発明の改修工法の第１の実施の形態を工程順にあらわしている。
【００１７】
この改修方法は、図１に示すような集合住宅の既設の通気立て管方式（二管式）の排水配管Ａを以下のようにして改修することができる。
（１）図１に示すように、排水横主管５を既設脚部継手６の近傍のａ線に沿って、通気管７を既設脚部継手６の直上階である最下階の床スラブＳの下方のｂ線に沿って切断する。また、最下階の既設合流排水継手２の下側に接続された排水管３をｃ線に沿って切断する。そして、既設脚部継手６を、通気管７に接続された状態で残った排水横主管５、通気管７及び排水管３の一部とともに取り除く。
なお、ａ〜ｃ線の位置は、施工現場の状況に応じて適宜変更される。
（２）図２に示すように、最下階の既設合流排水継手２に接続されている横枝管４を取り除く。
【００１８】
（３）床スラブＳの、最下階既設合流排水継手２の周囲を、ハツリ機（図示せず）を用いてハツって、図２に示すように、最下階の既設合流排水継手２を取り除く。なお、最下階の既設合流排水継手２を取り除くにあたっては、最下階の既設合流排水継手２に接続されている上部の排水管３を切断する、あるいは、最下階の既設合流排水継手２の受口にゴム輪接続されている場合は、下方に引き抜き、最下階の既設合流排水継手２と上部の排水管３とを切り離しておく。
なお、上記（１）の工程と、（２）の工程とは逆に行っても構わないし、（２）の工程を（１）の工程の途中で実施するようにしても構わない。
【００１９】
（４）図３に示すように、排水横主管５に更新用脚部継手６aを接続する。なお、更新用脚部継手６aは、排水能力を上げるために、内部に旋回羽根を設けておくようにしても構わない。
（５）図４に示すように、必要に応じて上部の排水立て管１及び横枝管４を避けつつ更新用合流排水継手としての特殊排水継手（例えば、積水化学工業社製の商品名エスロンＡＤスリム）２ａを、その下端が床スラブＳの下方に臨むように、床スラブＳの上方から床スラブＳに残ったハツリ孔Ｈに差し入れた後、図１０及び図１１に示す通気管接続用継手８ａを図４に示すように、特殊排水継手２ａの下端差口２１を通気管接続用継手８ａのやりとり受口８１ａに奥深く差し込まれた状態とする。
【００２０】
すなわち、通気管接続用継手８ａは、図１０及び図１１に示すように、本体部８１と、分岐部８２とを備えている。
本体部８１は、やりとり受口８１ａと、下端差口８１ｂとを備えている。
【００２１】
やりとり受口８１ａは、上端部にゴム輪パッキン８１ｃが内装されているとともに、特殊排水継手２ａの下端差口２１の差し込むことによって止水状態で接続される。また、やりとり受口８１ａは、下端差口２１のやりとり受口８１ａへの差し込み長さが、特殊排水継手２ａの上部受口２２の受口長さより長くなるように、下端差口２１の差し込み長さが調整可能になっている。
分岐部８２は、本体部８１の中間位置から上方に向かって傾斜（本体部８１の管軸に対して３０〜６０°）して設けられているとともに、開口端縁に沿って外側に張り出すフランジ部８２ａを備えている。
【００２２】
なお、ハツリ孔Ｈが大きい場合は、特殊排水継手２ａの下端差口２１を通気管接続用継手８ａのやりとり受口８１ａに奥深く差し込まれた状態としたのち、通気管接続用継手８ａを特殊排水継手２ａの下端部とともに、床スラブＳの上方から差し入れるようにしても構わない。
【００２３】
（６）図５に示すように、特殊排水継手２ａの下端差口２１を通気管接続用継手８ａのやりとり受口８１ａに奥深く差し込まれた状態に保ちながら、特殊排水継手２ａの上部受口２２に排水立て管１の下端を差し込むとともに、横枝管４を特殊排水継手２ａの横枝管接続口２３に差し込む。
なお、特殊排水継手２ａの上部受口２２及び横枝管接続口２３は、図示していないが、ゴム輪パッキンが内装されていて、差し込みによって排水立て管１及び横枝管４が特殊排水継手２ａに止水状態で接続される。
【００２４】
（７）図６に示すように、通気管接続用継手８ａを押し下げて、通気管接続用継手８ａの下端差口８１ｂを更新用脚部継手６aに接続する。
（８）図６に示すように、フレキシブル管（例えば、スネークジョイント）９ａの一端を通気管接続用継手８ａに外嵌させ、他端を床スラブＳから突出する通気管７の残存下端に外嵌させて外嵌部の外側からフレキシブル管９ａを締付けバンド９１によって締付けて通気管７と通気管接続用継手８ａとをフレキシブル管９ａを介して接続する。
【００２５】
（９）図６に示すように、ハツリ孔Ｈと特殊排水継手２ａとの隙間にモルタルＭを充填して特殊排水継手２ａを床スラブＳに固定する。
なお、上記（９）の工程は、すべての特殊排水継手２ａに更新したのちに行うようにしても構わない。
（１０）上記（８）または（９）の工程が完了すると、すなわち、最下端更新工程完了後、直上の階の床スラブＳに支持された既存合流排水継手２と、その上下の排水管３とを切り離すとともに、直上の階（例えば、２階）の床スラブＳをハツって直上の階の既設合流排水継手２を下の床スラブＳに接続された排水立て管の一部とともに取り除く。
【００２６】
（１１）図７に示すように、特殊排水継手２ｂを、合流排水継手２を取り除いて形成されたハツリ孔Ｈの上方から必要に応じて上部の排水立て管１及び横枝管４を避けつつ床スラブＳの下端部が床スラブＳの下側に突き出るようにハツリ孔Ｈに差し入れる。
（１２）図８に示すように、更新用の特殊排水継手２ｂを特殊排水継手２ａの上部受口２２に排水立て管１の下端を差し込むとともに、横枝管４を特殊排水継手２ａの横枝管接続口２３に差し込む。
【００２７】
（１３）図８に示すように、短管継手８ｂの下端を上記通気管接続用継手８ａのやりとり受口８１ａに奥深く差し込んだ状態で、特殊排水継手２ｂの下端に設けられたフランジ部２４と、短管継手８ｂの上端とをフランジ接続する。
（１４）図示していないが、通気管接続用継手８ａを押し下げてその下端差口９１ｂを最下階の特殊排水継手２ａの上部受口２２に差し込んで、通気管接続用継手８ａと特殊排水継手２ａとを止水状態で接続する。
（１５）図１１に示すキャップ８ｃのキャップ本体８３を、図１１に鎖線で示すように、そのフランジ部８４が通気管接続用継手８ａの分岐部８２のフランジ部８２ａに当接するまで差し込んで分岐部８２を封鎖する。
なお、キャップ８ｃは、図示していないが、分岐部８２に装着自在となっていて、正常に分岐部８２に装着された状態でフランジ部８４に設けられた位置決め突起（または位置決め凹部）が、分岐部８２のフランジ部８２ａに設けられた位置決め凹部（または位置決め突起凹部）に嵌合するようになっていて、この嵌合によってキャップ本体８３の先端面が本体部８１の内周面にほぼ面一になるように形成されている。
（１６）３階以上は、上記（１０）〜（１５）を繰り返し、上層階に向かって順に排水立て管部分及び必要に応じて横枝管部分を改修していく。
なお、（１５）の工程は、上記（１０）〜（１４）のいずれかの工程に先立ち行うようにしても構わない。
【００２８】
（１７）設定された１日の作業時間内で、最上階に位置する更新された特殊排水継手２ｂと、その特殊排水継手２ｂの直上階の既設合流排水継手２との間に通気管接続用継手８ａを介在させるとともに、この通気管接続用継手８ａのほぼ水平方向で、通気管７の一部に図１２に示すように、本体部８５が通気管接続用継手８ａと同じ構造をしていて、分岐部８６が本体部８５から斜め下方に向かって傾斜している分岐継手８ｄとソケット継手８ｅを介在させたのち、通気管接続用継手８ａの分岐部８２と、分岐継手８ｄの分岐部８６とを異径のフレキシブル管９ｂを介して接続し、１日の施工作業を終了する。
なお、図１２中、８５ａはやりとり受口、８５ｂは下端差口、８５ｃはゴム輪パッキンである。
（１８）排水立て管１の最上部まで改修が完了するまで、上記（１６）及び（１７）の工程を繰り返す。
【００２９】
この改修方法は、上記のように、まず、最下端更新工程を行った後、上方の階の既設合流排水継手２を特殊排水継手２ｂと取り替えて改修を行うようにしたので、改修途中の排水立て管の下端に常に通気管７が連通した状態が保たれる。
したがって、一日の施工では完了させることができず、改修工事が複数日に跨る場合においても、改修部分の特殊排水継手２ｂと上下の排水立て管部分及び横枝管との接続を完了させて１日の作業を完了しておけば、作業再開までの間に排水立て管に排水を流しても従来と同様に使用が可能である。
【００３０】
更新用合流排水継手として、特殊排水継手２ａ（２ｂ）を用いるようにしたので、上部から流下する排水が、この特殊排水継手２ａ（２ｂ）の旋回羽根によって旋回流とされて排水立て管１内に安定した空気芯が形成される。
したがって、従来に比べて排水能力が上がる。その結果、横枝管接続口を複数備えた特殊排水継手２ａ（２ｂ）を用いるようにすれば、１本の排水立て管でリフォーム等によって住戸内の排水機器が増設された場合に十分に対応できるようになる。
【００３１】
また、やりとり受口８１ａを、特殊排水継手２ａの下端差口２１のやりとり受口８１ａへの差し込み長さが、特殊排水継手２ａの上部受口２２の受口長さより長くなるとともに、下端差口２１の差し込み長さが調整可能になっているやりとり受口８１ａを備えた通気管接続用継手８ａを用いるようにしたので、施工性がよい。
【００３２】
さらに、改修が終わった部分の直上の改修が終わっていない既存合流排水継手２部分で閉塞してこの既存合流排水継手２に接続された横枝管４に繋がる排水機器のトラップからの吹き出し、吸い込み等トラブルを起こすおそれがあるが、設定された１日の作業時間内で、最上階に位置する更新された特殊排水継手２ｂと、その特殊排水継手２ｂの直上階の既設合流排水継手２との間の排水立て管部分を分岐させるとともに、この分岐部を通気管７と連通させるようにしたので、上記のようなトラブルを防止することができる。
また、やりとり可能な通気管接続用継手８ａを用いて排水立て管１を分岐し、やりとり可能な分岐継手８ｄを用いて通気管７を分岐し、その分岐部８２と分岐部８６とをフレキシブル管９ｂで接続するようにしたので、施工性がよい。
【００３３】
通気管接続用継手８ａを更新された排水立て管の一部に用いるとともに、この排水立て管の一部に用いた通気管接続用継手８ａを着脱自在なキャップ８ｃを用いて閉じるようにしたので、排水が分岐部８２を介して外部に漏れ出ることを防止できるとともに、このキャップ８ｃを取り外せば、分岐部８２が排水立て管の点検口となり、排水立て管内の洗浄するための洗浄ホースの入口としても用いることができる。
また、キャップ８ｃが正常に装着された状態で、キャップ本体８３の先端面が本体部８１の内周面に面一となるようになっているので、排水が分岐部８２内に入り込まない。
【００３４】
図１３は、本発明の改修工法の第２の実施の形態に用いる連通管用継手をあらわし、図１４は、この連通管用継手が用いられる既設の排水配管を模式的にあらわしている。
【００３５】
すなわち、図１３に示すように、この通気管接続用継手８ｆは、本体部８７と、第１分岐部８８と、第２分岐部８９とを備えている。
本体部８７は、上記連通管用継手８ａの本体部８１と同様の構造になっている。図１３中、８７ａはやりとり受口、８７ｂは下端差口、８７ｃはゴム輪パッキンである。
【００３６】
第１分岐部８８と、第２分岐部８９とは、本体部８７からそれぞれ分岐しているとともに、第１分岐口が第２分岐部８９より上側にずれて設けられていて後述するように、第２分岐部８９が排水立て管１ａに接続されたとき、排水立て管１ａを介して第２分岐部８９から本体部８７内に流れ込んだ排水が、第１分岐部８８内に流れ込まないようにその傾斜角度および上下方向の位置が調整されている。
一方、図１４に示すように、この通気管接続用継手８ｆが用いられる排水配管Ｂは、通気管７ａがその下端で２本に分岐していて、一方の分岐通気管７１が脚部継手６の直上で排水立て管１に接続され、他方の分岐通気管７２が既設脚部継手６の直上で他の排水立て管１ａに接続されている。
すなわち、通気管７が２つの排水経路に共用されている。
【００３７】
そして、この通気管接続用継手８ｆを用いて排水配管Ｂを改修するには、まず、通気管７の分岐部の直上で通気管７ａを切断し、上記連通管用継手８ａと同様にして、通気管接続用継手８ｆを用いて、排水立て管１側の排水経路の最下端更新工程を実施する。なお、通気管７とは第１分岐部８８を介して接続される。
つぎに、排水立て管１ａを分岐通気管７２の接続位置直上で切断し、排水立て管１ａを第２分岐部８９に接続する。
【００３８】
こののち、排水立て管１側の排水経路を上記第１の実施の形態の（１０）以降の工程を実施して改修する。
また、排水立て管１ａ側の排水経路についても必要に応じて上記第１の実施の形態の（１０）以降の工程を実施して改修する。
なお、本体部８７に内壁面に第２分岐部８９に排水が入り込まないような庇等を設けておけば、第２分岐部８９と通気管７ａとを接続し、第１分岐部８８に排水立て管１ａを接続するようにしても構わない。
【００３９】
本発明の改修方法は、上記の実施の形態に限定されない。例えば、上記の実施の形態では、残った既存の排水横主管に更新用脚部継手を接続するようにしていたが、建物の梁等が邪魔にならなければ、さらに排水能力を上げるために、排水横主管を口径の大きいものに交換するようにしても構わない。かかる場合、脚部継手は、排水横主管側が排水立て管側に比べ拡径するようなものを用いればよい。
上記の実施の形態では、更新用合流排水継手として特殊排水継手が用いられていたが、排水能力が十分確保できるのであれば、他の合流排水継手を用いるようにしても構わない。
【００４０】
上記の実施の形態では、上階の特殊排水継手と、下階の特殊排水継手とを接続するのに通気管接続用継手を用いていたが、やりとり受口を有する分岐部のない継手を用いるようにしても構わない。
上記第２の実施の形態では、通気管接続用継手が２つの分岐部を備えていたが、３つ以上でも構わない。
【符号の説明】
【００４１】
Ａ，Ｂ  排水配管
１，１ａ  排水立て管
２  既設合流排水継手
２ａ、２ｂ  特殊排水継手（合流排水継手）
３  排水管
４  横枝管
２３  横枝管接続部
５  排水横主管
６  既設脚部継手
６ａ  更新用脚部継手
７，７ａ  通気管
８ａ，８ｆ  通気管接続用継手
８１  本体部
８１ａ，８７ａ  やりとり受口
８２  分岐部
８８  第１分岐部
８９  第２分岐部
Ｓ  床スラブ
【図１】
0005608582.tif 000002
【図２】
0005608582.tif 000003
【図３】
0005608582.tif 000004
【図４】
0005608582.tif 000005
【図５】
0005608582.tif 000006
【図６】
0005608582.tif 000007
【図７】
0005608582.tif 000008
【図８】
0005608582.tif 000009
【図９】
0005608582.tif 000010
【図１０】
0005608582.tif 000011
【図１１】
0005608582.tif 000012
【図１２】
0005608582.tif 000013
【図１３】
0005608582.tif 000014
【図１４】
0005608582.tif 000015
【図１５】
0005608582.tif 000016